(57)【要約】  【課題】  既存の衣服用ハンガーを用いて簡単に干すことが可能で、しかも乾き易い干し方が出来る枕カバーを提供する。  【解決手段】  枕を収納する収納口と収納部を備えた袋状の枕カバーの一端部に、衣服用ハンガーのフック部が挿通可能な挿通口と、衣服用ハンガーの肩部に掛止可能な掛止部とを設けるとともに、収納口内に収納口の開口縁に沿って折り返し片を設けた。  【選択図】  図１
2005253741.tif 000002
【特許請求の範囲】
【請求項１】
枕を収納する収納口と収納部を備えた袋状の枕カバーであって、
枕カバーの一端部には、衣服用ハンガーのフック部が挿通可能な挿通口と、衣服用ハンガーの肩部に掛止可能な掛止部とが設けられていることを特徴とする枕カバー。
【請求項２】
収納口にはこの収納口の開口縁に沿って折り返し片が設けられ、折り返し片には挿通口と掛止部が設けられていることを特徴とする請求項１に記載の枕カバー。
【発明の詳細な説明】
【技術分野】
【０００１】
本発明は、枕カバーに関する。
【背景技術】
【０００２】
一般に枕カバーは、例えば綿製の布地から枕が収容可能な大きさの袋状に形成されており、その袋の一端に開口する挿入口から枕本体を袋内の収納部に挿入して、枕を枕カバーで覆うようにして用いられる。（特許文献１参照）
【特許文献１】実用新案登録第３０８９４３０号  ところで以上の袋状をした枕カバーにあっては、洗濯して干す場合、直接物干し竿に二つ折りの状態にして掛けて、ピンチで枕カバーを物干し竿に止めるか、若しくは、無物干しに吊下げたピンチで枕カバーの一端部を挟んで、物干し竿に吊下げるのが一般的である。
【０００３】
しかしながら、以上の干し方では、例えば雨が急に降ってきて急いで室内に取り入れたい場合、ピンチを外して、枕カバーを物干し竿から取り外さねばならず、手間がかかるものである。
【０００４】
そこで、近年、特に室内などへの取り込みが簡単に行なえ、また室内に干す際に場所をとらないように、衣服用ハンガーを用いて枕カバーを干す方法が見受けられる。
【０００５】
しかしながら、前述の枕カバーを衣服用ハンガーに干すには、枕カバーを二つ折にしてハンガーに吊り掛けて、枕カバーをハンガーにピンチで止めなれればならず、枕カバーが二つ折りの状態で干されることから、乾き難い不具合があるし、またハンガーに枕カバーを止めるためのピンチも別途必要となる。
【発明の開示】
【発明が解決しようとする課題】
【０００６】
本発明は以上の実情に鑑みて開発したものであって、目的とするところは、既存の衣服用ハンガーを用いて簡単に干すことが可能で、しかも乾き易い干し方が出来る枕カバーを提供することにある。
【課題を解決するための手段】
【０００７】
以上の目的を達成するために、請求項１に記載の発明は、枕を収納する収納口と収納部を備えた袋状の枕カバーの一端部に、衣服用ハンガーのフック部が挿通可能な挿通口と、衣服用ハンガーの肩部に掛止可能な掛止部とを設けたことを特徴とするものである。
【０００８】
また請求項２に記載の発明は、請求項１に記載の枕カバーにおいて、収納口にこの収納口の開口縁に沿って折り返し片を設けて、折り返し片に挿通口と掛止部を設けたことを特徴とするものである。
【発明の効果】
【０００９】
請求項１に記載の発明によれば、洗濯後、乾かす際に、衣服用ハンガーに広げた状態に簡単に吊り掛けることが出来るので、乾燥が効率よく行なえるし、しかも吊り掛け時にピンチなども必要としないので、衣服用ハンガーに対する吊り掛け乃至衣服用ハンガーからの取り外し作業が非常に行い易いのである。
【００１０】
また請求項２に記載の発明によれば、収納口の近くに挿通口が配置されるので、請求項１に記載の発明の効果に加え、洗濯用ハンガーへの吊り下げ作業がより一層行い易い。
【発明を実施するための最良の形態】
【００１１】
（実施例１）
先ず図において符号１は、洗濯した枕カバー２を干す際に用いる既存の衣服用ハンガーの一例を示したものである。
【００１２】
この衣服用ハンガー１は、外面を合成樹脂材料でコーティングした金属線材から形成されたものであって、吊下げ用のフック部１１と、衣服支持用の左右肩部１２ａ・１２ｂ と、これら左右肩部１２ａ・１２ｂの両端間を連結して、スラックスなどを吊るのに用いられる吊り掛け杆部１３とが備えられている。
【００１３】
図１〜図２は、本発明にかかる枕カバー２の第１実施例を示したものであって、内部にスポンジやソバ殻又は羽毛などを詰めた枕３を収納して、この枕３の外面全域を覆うためのものである。
【００１４】
図１〜図２に示す枕カバー２は、綿製の布地から正面視長方形の袋状に形成されており、この袋２０の四方の辺２０ａ・２０ｂ・２０ｃ・２０ｄ中、短辺側の一辺２０ａには、袋２０内の収納部２１に対して枕３の出し入れを行なうための収納口２２が設けられ、長片２０ｂ・２０ｄは閉じられている。
【００１５】
また前述収納口２２が設けられている短辺２０ａと相対向する短辺２０ｃは、その長さ方向中央部のみが開口して他は閉じられているのであって、これにより、その長さの長さ方向中央に、衣服用ハンガー１の引っ掛け部１１が挿通可能な挿通口２３が設けられると共に、挿通口２３以外は閉鎖部分がハンガー１の肩部１２ａ・１２ｂに掛止可能な掛止部２４ａ・２４ｂとされている。
【００１６】
以上の枕カバー２は、枕３を収納口２２から収納部２１に収納することで、枕３を包むのである。
【００１７】
そして以上の枕カバー２を洗濯して、衣服用ハンガー１により干す際には、衣服用ハンガー１を枕カバー２の収納口２２から収納部２１内に入れて、図１に示すように、衣服用ハンガー１のフック部１１を挿通口２３から外部に突出させると共に、衣服用ハンガー１の左右肩部１２ａ・１２ｂを枕カバー２の掛止部２４ａ・２４ｂに引っ掛け、この状態で衣服用ハンガー１のフック部１１を物干し竿などに引っ掛ければよいのである。
【００１８】
尚、枕カバー２が伸縮性を有する布地から形成されている場合には、挿通口２３から衣服用ハンガー１の左右肩部１２ａ・１２ｂを収納部21内に挿入するようにしてもよい。
【００１９】
以上の枕カバー２にあっては、収納口２２や挿通口２３にファスナーを取り付けて開閉可能としてもよいし、また図３〜図４に示すように、収納口２２内に収納口２２の開口縁に沿って折り返し片２５を設けて、枕カバー２の収納部２１内に枕を入れた際に、図４に示すように、折り返し片２５で収納口２２を覆うようにしてもよい。
【００２０】
以上の実施例では、袋２０の短辺の1つ２０ａに収納口２２を設けたが、これに限定されるものではなく、例えば長辺２０ｂまたは２０ｄに設けてもよい。
【００２１】
（実施例２）
図５〜図６は本発明にかかる枕カバー２の第２実施例を示したものである。
【００２２】
この枕カバー２は、第１実施例と同様に綿製の布地から正面視長方形の袋状に形成されており、この袋２０の四方の辺２０ａ・２０ｂ・２０ｃ・２０ｄ中、短辺側の一辺２０ａには、袋２０内の収納部２１に対して枕３の出し入れを行なうための収納口２２が設けられ、残りの三辺２０ｂ・２０ｄ・２０ｃが閉じられている。
【００２３】
そして収納口２２の一側縁には、この収納口２２開口縁に沿って帯状の折り返し片２５が設けられ、この折り返し片２５の長さ方向中央に、衣服用ハンガー１のフック部１１が挿通可能な挿通口２３が設けられ、この挿通口２３の両側方における折り返し片２５の内面を、ハンガー１の肩部１２ａ・１２ｂが掛止可能な掛止部２４ａ・２４ｂとしている。
【００２４】
また折り返し片２５と袋２０の内面との間にはホック２６が設けられ、ホック２６により、収納口２２が開閉できるようにしている。
【００２５】
以上の枕カバー２にあっても、枕３を収納口２２から収納部２１に収納して、折り返し片２５により収納口２２を覆うことで、枕３を包むのである。
【００２６】
そして以上の枕カバー２を洗濯して、衣服用ハンガー１により干す際には、衣服用ハンガー１を、枕カバー２の収納口２２から収納部２１内に入れて折り返し片２５をくぐらせた後、衣服用ハンガー１のフック部１１を挿通口２３から外部に突出させると共に、衣服用ハンガー１の左右肩部１２ａ・１２ｂを枕カバー２の掛止部２４ａ・２４ｂに引っ掛けて、この状態で衣服用ハンガー１のフック部１１を物干し竿などに引っ掛ければよいのである。
【００２７】
斯くして以上の実施形態のものでは、収納口２２が挿通口２３の近くに設けられているので、衣服用ハンガー１の枕カバー２への取り付け作業が行い易い。
【００２８】
尚、ホック２６は必ずしも必要ではない。
【００２９】
（実施例３）
図７は本発明にかかる枕カバー２の第３実施例を示したものである。
【００３０】
この枕カバー２は、第１実施例と同様に綿製の布地から正面視長方形の袋状に形成されており、この袋２０の四方の辺２０ａ・２０ｂ・２０ｃ・２０ｄ中、短辺側の一辺２０ｃには、袋２０内の収納部２１に対して枕３の出し入れを行なうための収納口２２が設けられ、残りの三辺２０ｂ・２０ｄ・２０ａが閉じられている。
【００３１】
そして収納口２２の中央部を残して、左右にファスナ２７が設けられて、ファスナ２７により、収納口２２の両側部が開閉可能とされ、収納口２２におけるファスナ２７閉鎖されない中央部が挿通口２３として用いられると共に、ファスナ２７の取り付け部位が掛止部２４ａ・２４ｂとして用いられるようにしている。
【００３２】
以上の枕カバー２にあっても、ファスナ２７の開動作により収納口２２を開き、枕３を収納口２２から収納部２１に収納した上で、ファスナ２７を閉じて、枕３を包むのである。
【００３３】
そして以上の枕カバー２を洗濯して、衣服用ハンガー１により干す際には、ファスナ２７を介して収納口２２を開き、衣服用ハンガー１の肩部１２ａ・１２ｂ及び吊り掛け杆部１３を、この収納口２２から収納部２１内に入れた後、ファスナ２７を閉じて、衣服用ハンガー１のフック部１１を挿通口２３から外部に突出させた状態で、衣服用ハンガー１の左右肩部１２ａ・１２ｂを枕カバー２の掛止部２４ａ・２４ｂに引っ掛け、この状態で衣服用ハンガー１のフック部１１を物干し竿などに引っ掛ければよいのである。
【００３４】
（実施例４）
図８は本発明にかかる枕カバー２の第３実施例を示したものであって、小型のものである。
【００３５】
図８に示す枕カバー２の基本的構成は、図１〜図２に示す第１実施例のものと同じであって、袋２０の四方の辺２０ａ・２０ｂ・２０ｃ・２０ｄ中、短辺側の一辺２０ａに、袋２０内の収納部２１に対して枕３の出し入れを行なうための収納口２２が設けられ、長片２０ｂ・２０ｄは閉じられている。
【００３６】
また前述の収納口２２が設けられている短辺２０ａと相対向する短辺２０ｃは、その長さ方向中央部のみが開口して他は閉じられることで、その長さの長さ方向中央に、衣服用ハンガー１の引っ掛け部１１が挿通可能な挿通口２３が設けられると共に、挿通口２３以外は閉鎖部分がハンガー１の肩部１２ａ・１２ｂに掛止可能な掛止部２４ａ・２４ｂとされている。
【００３７】
そして、長片２０ｂ・２０ｄにおける挿通口２３側端部には、衣服用ハンガー１における肩部１２ａ・１２ｂ及び吊り掛け杆部１３の左右先端部位を挿通するための挿通口２８ａ・２８ｂが設けられている。
【００３８】
以上の枕カバー２にあっても、枕３を収納口２２から収納部２１に収納して枕３を覆うのである。
【００３９】
そして以上の枕カバー２を洗濯して、衣服用ハンガー１により干す際には衣服用ハンガー１を枕カバー２の収納口２２から収納部２１内に入れて、図１に示すように、衣服用ハンガー１のフック部１１を挿通口２３から外部に突出させると共に、肩部１２ａ・１２ｂ御呼び吊り掛け患部13の左右先端部位を挿通口２８ａ・２８ｂから外部に突き出して、衣服用ハンガー１の左右肩部１２ａ・１２ｂを枕カバー２の掛止部２４ａ・２４ｂに引っ掛け、この状態で衣服用ハンガー１のフック部１１を物干し竿などに引っ掛ければよいのである。
【００４０】
斯くして以上の各実施例の枕カバー２にあっては、衣服用ハンガー１に二つ折りではなく広げた状態に簡単に吊り掛けることが出来るので、効率よく乾かすことが出来るし、しかも吊り掛け時にピンチなども必要としないので、衣服用ハンガー１に対する吊り掛け乃至衣服用ハンガー１からの取り外しがワンタッチで行なえるのである。
【００４１】
以上の実施形態では、短辺２０ａに収納口２２を設けたが、短辺２０ａを閉鎖するとともに、短辺２０ｃに設ける挿通口２３を大きく開口させて、この挿通口２３を収納口２２としても利用するようにしてもよく、この場合、この挿通口２３をファスナにより開閉自由としてもよい。また袋２０を伸縮性のある生地から形成するのが好ましい。
【００４２】
（実施例５）
図９および図１０は本発明にかかる枕カバー２の第５実施例を示したものである。
【００４３】
この枕カバー２は、第１実施例と同様に綿製の布地から正面視長方形の袋状に形成されており、この袋２０の四方の辺２０ａ・２０ｂ・２０ｃ・２０ｄ中、短辺側の一辺２０ｃ近くには、袋２０内の収納部２１に対して枕３の出し入れを行なうための収納口２２が設けられるとともに、一辺２０ａには、挿通口２３が設けられ、残りの三辺２０ｂ・２０ｄ・２０ａが閉じられている。
【００４４】
そして、収納口２２はファスナ２７により開閉可能としている。尚、このファスナ○は必ずしも必要ではない。
【００４５】
以上の枕カバー２にあっても、枕３を収納口２２から収納部２１に収納して、折り返し片２５により収納口２２を覆うことで、枕３を包むのである。
【００４６】
そして以上の枕カバー２を洗濯して、衣服用ハンガー１により干す際には、図９に示すように、衣服用ハンガー１を、枕カバー２の収納口２２から収納部２１内に入れて、衣服用ハンガー１のフック部１１を挿通口２３から外部に突出させると共に、衣服用ハンガー１の左右肩部１２ａ・１２ｂを枕カバー２の掛止部２４ａ・２４ｂに引っ掛けて、この状態で衣服用ハンガー１のフック部１１を物干し竿などに引っ掛ければよいのである。
【００４７】
また枕カバー２が小型である場合には、図１０に示すように、衣服用ハンガー１の吊り掛け杆部１３及び左右肩部１２ａ・１２ｂの一部を収納口２２から一部突出させればよい。
【００４８】
斯くして以上の実施形態のものでも、収納口２２が挿通口２３の近くに設けられているので、衣服用ハンガー１の枕カバー２への取り付け作業が行い易い。
【図面の簡単な説明】
【００４９】
【図１】実施例１に示す枕カバーの斜視図。
【図２】実施例１に示す枕カバーに枕を入れる場合の説明図。
【図３】実施例１の枕カバーにおける収納口の変形例を示す要部の斜視図。
【図４】同、要部の断面図。
【図５】実施例２に示す枕カバーの斜視図。
【図６】同、要部の断面図。
【図７】実施例３に示す枕カバーの斜視図。
【図８】実施例４に示す枕カバーの斜視図。
【図９】実施例5に示す枕カバーの斜視図。
【図１０】実施例5に示す枕カバーの斜視図。
【符号の説明】
【００５０】
１        衣服用ハンガー
１１      フック部
１２ａ    肩部
１２ｂ    肩部
２        枕カバー
２０      袋
２１      収納部
２２      収納口
２３      挿通口
２４ａ    掛止部
２４ｂ    掛止部
３        枕
【図１】
2005253741.tif 000003
【図２】
2005253741.tif 000004
【図３】
2005253741.tif 000005
【図４】
2005253741.tif 000006
【図５】
2005253741.tif 000007
【図６】
2005253741.tif 000008
【図７】
2005253741.tif 000009
【図８】
2005253741.tif 000010
【図９】
2005253741.tif 000011
【図１０】
2005253741.tif 000012